(57)【特許請求の範囲】
【請求項１】
抽選端末が抽選サーバから、当選確率を含む抽選データを取得して自律的に抽選を実行する抽選システムにおいて、
前記抽選サーバが、
抽選端末の属性条件ごとに当選確率を設定する手段と、
前記属性条件ごとに当選確率が設定された、全抽選端末用の抽選データを生成する手段とを具備し、
前記抽選端末が、
取得した抽選データから自身の属性が満足する属性条件に対応付けられた当選確率を抽出する手段と、
前記抽出された当選確率に基づいて抽選を行う手段とを具備したことを特徴とする抽選システム。
【請求項２】
前記抽選サーバは、
抽選端末をその属性に基づいて分類するための属性条件を設定する手段と、
属性条件ごとに当選比率を設定する手段と、
当選確率および前記属性条件ごとに設定された当選比率の記述された抽選データを生成する手段とを具備し、
前記抽選端末は、
受信した抽選データから当選確率および自身の属性が満足する属性条件に対応付けられた当選比率を抽出する手段を具備し、
前記抽選手段は、前記抽出した当選確率および当選比率に基づいて抽選を行うことを特徴とする請求項１に記載の抽選システム。
【請求項３】
前記当選比率を設定する手段は、
各属性条件を満足するユーザ数を推定する手段と、
各属性条件を満足するユーザ数に基づいて、各属性条件に当選比率を設定する手段とを含むことを特徴とする請求項２に記載の抽選システム。
【請求項４】
抽選端末の属性が、端末ユーザに固有のユーザ属性であることを特徴とする請求項１ないし３のいずれかに記載の抽選システム。
【請求項５】
抽選端末の属性が契約属性であることを特徴とする請求項１ないし３のいずれかに記載の抽選システム。
【請求項６】
抽選端末の属性がその現在位置であり、
属性条件が通信エリアであり、
前記抽選端末は、
自身の現在位置を測位する手段と、
受信した抽選データから、自身の現在位置が満足する通信エリアに設定された当選比率を抽出する手段とを具備したことを特徴とする請求項２または３に記載の抽選システム。
【請求項７】
抽選端末の属性がその接続先の基地局であり、
属性条件が基地局であり、
前記抽選端末は、
自身の接続先の基地局を識別する手段と、
受信した抽選データから、自身の接続先の基地局に設定された当選比率を抽出する手段とを具備したことを特徴とする請求項２または３に記載の抽選システム。
【請求項８】
抽選端末の属性が、当該抽選端末による放送コンテンツの視聴実績に固有の視聴属性であることを特徴とする請求項２または３に記載の抽選システム。
【請求項９】
各抽選端末が、
抽選結果を抽選サーバへ申告する手段を具備し、
前記抽選サーバが、
各抽選端末から抽選結果を受信する手段と、
前記抽選結果に基づいて当選比率を更新する手段と、
当選比率の更新された抽選データを各抽選端末へ通知する手段とを具備し、
前記抽選端末における抽選データの受信、抽選および抽選結果の申告、ならびに抽選サーバにおける抽選結果の受信、当選比率の更新および抽選データの送信が繰り返されることを特徴とする請求項３に記載の抽選システム。
【請求項１０】
抽選端末へ当選確率を含む抽選データを送信して自律的に抽選を実行させる抽選サーバにおいて、
抽選端末ごとに設定される属性条件ごとに当選確率を設定する手段と、
前記当選確率が各属性条件と対応付けられて記述され、各抽選端末に共通して通知される全抽選端末用であって、各抽選端末において、当該端末の属性が満足する属性条件と対応付けられた当選確率を抽出される抽選データを生成する手段とを具備したことを特徴とする抽選システムの抽選サーバ。
【請求項１１】
抽選サーバから当選確率を含む抽選データを受信して自律的に抽選を実行する抽選端末において、
属性条件ごとに設定された当選確率の記述された、全抽選端末用の抽選データを受信する手段と、
前記抽選サーバから、自身の属性が満足する属性条件に対応付けられた当選確率を抽出する手段と、
前記抽出した当選確率に基づいて抽選を行う手段とを特徴とする抽選システムの抽選端末。
【発明の詳細な説明】
【技術分野】
【０００１】
本発明は、抽選システムならびにその抽選サーバおよび抽選端末に係り、特に、抽選端末が抽選サーバから当選確率を取得し、この当選確率で自身を当選させる抽選を自律的に行う抽選システムならびにその抽選サーバおよび抽選端末に関する。
【背景技術】
【０００２】
特許文献１には、テレビジョン放送を利用した抽選システムとして、サービス提供側は宝くじの当たり条件を含む宝くじ情報を所定のチャンネルを介して放送し、サービス享受側は所定のチャンネルを介して宝くじ情報を受信したとき、この受信した宝くじ情報と自身に記憶しておいた抽選情報とを照合し、この照合結果に基づいて、宝くじの当落判定を行う宝くじサービス提供システムが開示されている。ここで、サービス享受側に記憶されている抽選情報とは、視聴者の年齢層、性別、居住地区、趣味などの属性情報であり、サービス提供側から宝くじ情報として放送される属性情報に合致した属性情報の視聴者が当選者とされる。
【０００３】
特許文献２には、放送コンテンツおよびインターネットを使って抽選・応募を実現する方式として、放送事業者が抽選・応募に使用するURL情報を含む情報を映像コンテンツとして放送し、これを受信したユーザは、同情報に含まれるURLに接続して自身の情報を登録し、放送事業者は登録内容に基づいて抽選を実施する技術が開示されている。
【０００４】
しかしながら、特許文献１に開示された技術では、ユーザの年齢層、性別、居住地区、趣味などの属性情報を、抽選情報としてユーザ側のシステムに予め登録して行かなければならない。さらに、サービス提供側から放送される宝くじ情報が年齢層、性別、居住地区、趣味などの組合せで設定され、サービス提供側の作為で当選者を予め選別できるので公平な抽選が難しいという問題があった。さらに、宝くじ情報に合致する当選者数を予め正確に予測することが難しいので、当選者数に制限がある抽選には適用が難しいという問題があった。
【０００５】
また、特許文献２に開示された技術では、応募者からの事前登録を受け付ける必要があるため、抽選の規模に応じて、サービス提供側は大容量のサーバを用意しなければならず、また多数の事前登録によりネットワークに輻輳を生じさせる場合があった。さらに、事前登録を煩雑と考えるユーザからの応募が期待できないという問題があった。
【０００６】
このような技術課題に対して、本発明の発明者等は、当選確率を含む抽選データを抽選対象の全ての通信端末へ送信し、各通信端末が前記当選確率に基づいて自端末内で当選判定を自律的に行い、当選した通信端末のみが抽選サーバへ当選の事実を通知する技術を発明し、特許出願した（特許文献３）。
【先行技術文献】
【特許文献】
【０００７】
【特許文献１】特開２００２−１４０４５８号公報
【特許文献２】特開２００７−３２３４２４号公報
【特許文献３】特願２００８−１８５９９６号
【発明の概要】
【発明が解決しようとする課題】
【０００８】
特許文献３によれば、当選確率を受信した通信端末が自端末内で当選判定を行い、当選した通信端末のみが抽選サーバへ当選の事実を通知するため、落選した通信端末からのアクセスが生じない。このため、抽選サーバやインフラに対しての発呼数およびトラヒックの低減が期待できる。さらに、落選したユーザの個人情報を抽選サーバへ通知する必要がないので、個人情報保護の効果も併せ持っている。
【０００９】
しかしながら、特許文献３では抽選対象の通信端末へ通知される当選確率が一意かつ一定であるため、全ての抽選端末の当選確率は常に同じである。そのため、何らかの属性をもつユーザ(例えば、優良顧客等)に一時的に高い当選確率を与えることによるユーザの自律的な属性変更を促すことができなかった。
【００１０】
本発明の目的は、上記した従来技術の課題を解決し、当選確率を抽選対象の端末やユーザの属性情報に応じて異ならせることにより、ユーザに対して属性情報の自律的な変更を促す抽選システムならびにその抽選サーバおよび通信端末を提供することにある。
【課題を解決するための手段】
【００１１】
上記の目的を達成するために、本発明は、以下のような構成を具備した点に特徴がある。
【００１２】
(1)抽選端末が当選確率を受信して自律的に抽選を実行する抽選システムにおいて、抽選端末をその属性で分類するための属性条件ごとに当選確率を設定する抽選サーバと、属性条件ごとに当選確率が設定された抽選データを各抽選端末へ送信する手段と、抽選データを受信した抽選端末において、自身の属性が満足する属性条件に設定された当選確率で抽選を行う抽選手段とを具備したことを特徴とする。
【００１３】
(2)抽選端末へ当選確率を送信して自律的に抽選を実行させる抽選サーバにおいて、抽選端末をその属性に基づいて分類するための属性条件を設定する手段と、属性条件ごとに当選確率を設定する手段と、属性条件ごとに設定された当選確率の記述された抽選データを生成する手段とを具備したことを特徴とする。
【００１４】
(3)抽選サーバから当選確率を受信して自律的に抽選を実行する抽選端末において、属性条件ごとに設定された当選確率の記述された抽選データを受信する手段と、抽選サーバから、自身の属性が満足する属性条件に対応付けられた当選確率を抽出する手段と、抽出した当選確率に基づいて抽選を行う手段とを具備したことを特徴とする。
【発明の効果】
【００１５】
本発明によれば、以下のような効果が達成される。
(1)各抽選端末の当選確率を、その属性に応じて異ならせることができるので、各抽選端末の当選確率を抽選側の意図で恣意的に制御できるようになる。
(2)各抽選端末の当選確率を、その属性に応じて異ならせることができるので、各抽選端末のユーザに対して自由意志による自発的な属性変更を促すことができるようになる。
(3)各抽選端末が通信用に無線接続している基地局をその接続先属性とし、接続中の端末数が多い基地局を接続先属性とする抽選端末に割り当てる当選比率を、接続中の端末数が少ない基地局を接続先属性とする抽選端末に割り当てる当選比率よりも低くすれば、各基地局への抽選端末の接続数を均等化できるようになる。
(4)各抽選端末の現在位置が属する通信エリアをその位置属性とし、端末数の多い通信エリアを位置属性とする抽選端末に割り当てる当選比率を、端末数の低い通信エリアを位置属性とする抽選端末に割り当てる当選比率よりも低くすれば、各通信エリアの端末数を均等化できるようになる。
(5)テレビ番組等の視聴において、各ユーザが抽選端末で視聴した番組プログラムやCM等の視聴時間あるいは視聴回数といった視聴実績を計数して属性情報（視聴属性）とし、視聴時間や視聴回数が多い抽選端末ほど、その当選比率が高くなるようにすれば、ユーザの自由意志により視聴時間や視聴回数を恣意的に制御できるようになる。
【図面の簡単な説明】
【００１６】
【図１】本発明の抽選システムが適用される放送通信融合ネットワークのブロック図である。
【図２】抽選サーバの第１実施形態のブロック図である。
【図３】通信端末の第１実施形態のブロック図である。
【図４】抽選サーバの第１実施形態の動作を示したフローチャートである。
【図５】通信端末の第１実施形態の動作を示したフローチャートである。
【図６】第２実施形態の一例を模式的に表現した図である。
【図７】抽選サーバの第２実施形態のブロック図である。
【図８】通信端末の第２実施形態のブロック図である。
【図９】抽選サーバの第２実施形態の動作を示したフローチャートである。
【図１０】通信端末の第２実施形態の動作を示したフローチャートである。
【図１１】第３実施形態の一例を模式的に表現した図である。
【図１２】抽選サーバの第３実施形態のブロック図である。
【図１３】通信端末の第３実施形態のブロック図である。
【図１４】抽選サーバの第３実施形態の動作を示したフローチャートである。
【図１５】通信端末の第３実施形態の動作を示したフローチャートである。
【発明を実施するための形態】
【００１７】
以下、図面を参照して本発明の実施形態について詳細に説明する。図１は、本発明の抽選システムが適用される放送通信融合ネットワークの構成を示したブロック図であり、テレビ映像用のコンテンツとデータ通信用のコンテンツとが多重化された放送コンテンツを放送設備５から送信する放送局１と、この放送波を受信して放送コンテンツを再生するテレビ、コンピュータ、携帯電話等の可搬性通信端末MNと、これらの通信端末MNを収容する無線基地局２と、無線基地局２とインターネット等のIPネットワーク３を介して接続され、抽選サービスの提供者により管理される抽選サーバ４とを主要な構成としている。前記通信端末MNは、抽選サーバ４から放送波で当選確率を取得し、この当選確率で自身を当選させる抽選を自律的に行う抽選端末である。
【００１８】
このような構成において、抽選サーバ４は放送局１に対して、抽選の募集要項、当選確率Rgおよび後述する各属性条件iに固有の当選比率ri等の記述された抽選データを転送する。放送局１は、この抽選データを放送波に多重化して放送設備５から送信する。通信端末MNは、放送波を受信して抽選データから募集要項および当選確率Rg、ならびに自身の属性が満足する属性条件iと対応付けられている当選比率riを抽出し、前記当選確率Rgおよび当選比率riで定まる属性毎当選確率（Rg×ri）で自端末が当選する適宜の抽選を自律的に実行する。当選した通信端末MNは、必要に応じて自身のIDをIPネットワーク経由で抽選サーバ４へ通知する。
【実施例１】
【００１９】
図２は、本発明の第１実施形態に係る抽選サーバ４の構成を示したブロック図である。属性情報データベース１０１には、各通信端末MNのユーザから予めアンケート調査により集計された、あるいは通信サービスのサービス契約時等に記録された、各端末ユーザに固有の年齢、性別、嗜好等の属性情報がユーザ属性として予め登録されている。属性情報データベース１０１にはさらに、通信端末MNのユーザが契約している通信サービスや通信方式等に関する属性情報が契約属性として予め登録されている。属性条件設定部１０２は、抽選対象をその属性に基づいて分類するための属性条件iを設定する。本実施形態では、後に詳述するように、属性条件iがユーザ属性、契約属性またはそれらの論理式で設定され、属性条件iごとに当選比率riが設定される。
【００２０】
属性条件毎ユーザ数推定部１０３は、前記データベース１０１を参照して属性条件iごとに抽選対象のユーザ数Miを推定する。属性条件毎当選比率設定部１０４は、別途に与えられている当選確率Rgおよび各属性条件iを満足するユーザ数Miに基づいて、あるいは当選確率Rgやユーザ数Miとは無関係に、属性条件iごとに当選比率riを設定する。抽選データ生成部１０５は、前記当選確率Rgおよび当選比率riの記述された抽選データを生成する。抽選データ転送部１０６は、前記抽選データを放送局１へ転送して放送波による送信を要求する。
【００２１】
図３は、本実施形態における通信端末MNの構成を示したブロック図である。記憶部２０２には、当該通信端末MNあるいは端末ユーザのユーザ属性および／または契約属性が記憶されている。抽選データ受信部２０１は、放送波を受信して抽選データを抽出する。確率抽出部２０３は、抽選データに記述されている当選確率Rgおよび各属性条件iを抽出し、さらに各属性条件iと自身のユーザ属性あるいは契約属性とを比較し、自身の属性が満足する属性条件iと対応付けられている当選比率riを抽出する。抽選部２０４は、０＜rand≦１の乱数randを発生する乱数発生部を備え、当選確率Rgと当選比率riとの積Rg・riを属性条件毎当選確率として算出する。そして、乱数randと属性条件毎当選確率Rg・riとを比較し、rand≦Rg・riであれば自端末を当選端末と判定する。当選結果は当選申告部２０５により抽選サーバ４へ申告される。
【００２２】
次いで、フローチャートを参照して本実施形態の動作を詳細に説明する。図４は、主に抽選サーバ４の動作を示したフローチャートであり、図５は、主に通信端末MNの動作を示したフローチャートである。
【００２３】
抽選サーバ４では、図４のステップＳ１において、前記属性条件設定部１０２により抽選対象の属性条件iが設定される。本実施形態では、各通信端末MNのユーザが２つのユーザ属性「A」，「B」で識別されるものとし、この２つのユーザ属性A，Bの論理式で表現される４つの属性条件i1からi4が以下の通り設定される。
【００２４】
i1：属性A，Bのいずれにも該当しない属性条件であり、添字[Ω−A∪B]で代表する。
i2：属性Aに該当し、属性Bに該当しない属性条件であり、添字[A−B]で代表する。
i3：属性Bに該当し、属性Aに該当しない属性条件であり、添字[B−A]で代表する。
i4：属性A，Bのいずれにも該当する属性条件であり、添字[B∩A]で代表する。
【００２５】
ステップＳ２では、データベース１０１に登録されている各ユーザ属性A，BのユーザIDに基づいて、各属性条件iを満足するユーザ数Mi（MΩ−A∪B，MA−B，MB−A，MA∩B）およびその総数M（＝ΣMi）が推定される。ステップＳ３では、各属性条件iに対してそのユーザ数Miに応じて設定される当選比率ri（rΩ−A∪B，rA−B，rB−A，rA∩B）が次の各(1)式に基づいて算出される。
【００２６】
【数１】
0005472982.tif 000002
【００２７】
各(1)式は次のように導出される。本実施形態ではユーザ数Miの多い属性条件のユーザ群ほど当選の確率がより低くなるようにすることを考える。この場合、当選者総数M・Rgは属性条件ごとの当選者数の総和と等しくなるので次式(2)が成立する。
【００２８】
【数２】
0005472982.tif 000003
【００２９】
一方、各属性条件の当選比率riは各属性条件を満足するユーザ数Miの比率に依存するので、各属性条件の当選比率rΩ−A∪B，rA−B，rB−A，rA∩Bは次式(3)を満足する必要がある。
【００３０】
【数３】
0005472982.tif 000004
【００３１】
上式(3)は、行列A、ベクトルr，Mを次の各(4)式のように定義すれば次式(5)と表すことができる。したがって、次式(6)を計算することで各属性条件の当選比率rΩ−A∪B，rA−B，rB−A，rA∩Bを計算できる。すなわち、行列Aは対角成分が正の対角行列であり、さらに正則であるから、その逆行列を求めればベクトルrを算出でき、上式(1)が得られる。
【００３２】
【数４】
0005472982.tif 000005
【００３３】
【数５】
0005472982.tif 000006
【００３４】
【数６】
0005472982.tif 000007
【００３５】
ステップＳ４では、前記各属性条件の当選比率rΩ−A∪B，rA−B，rB−A，rA∩Bが記述された抽選データが生成される。ステップＳ５では、前記抽選データが放送局１へ転送され、その後、適宜のタイミングで放送される。
【００３６】
通信端末MNは、図５のステップＳ６１において、前記抽選データの多重化された放送波を受信するとステップＳ６２へ進み、当該抽選データから募集要項、抽選結果の申告先アドレス（本実施形態では、抽選サーバ４のアドレス）、当選確率Rgおよび属性条件Miが抽出される。ステップＳ６３では、自身の属性が満足する属性条件Miと対応付けられている当選比率riが抽出される。ステップＳ６４では、前記抽出された募集要項、当選確率Rgおよび属性条件ごとの当選比率riが端末ディスプレイ（図示せず）に一覧表示される。端末ユーザは、この一覧表示を参照することにより、各属性条件の当選比率riを認識できるので、自身の属性をどのように変更すれば当選比率riが上がり、当選確率を高められるのかを知ることができる。ステップＳ６５では、端末ユーザによる抽選応募操作の有無が判定され、応募操作が検知されるとステップＳ６６へ進む。
【００３７】
ステップＳ６６では、抽選部２０４の乱数発生部において、０＜rand≦１の乱数randが発生される。ステップＳ６７では、乱数randが当選確率Rgと当選比率riとの積Rg・riと比較され、rand≦Rg・riであれば、自端末が今回の抽選に当選した当選端末と判定されてステップＳ６８へ進み、当選メッセージが端末ディスプレイに表示される。ステップＳ６９では当選申告メッセージが生成され、ステップＳ７０において抽選サーバ４へ送信される。これに対して、ステップＳ６７で落選と判定されればステップＳ７１へ進み、落選メッセージが端末ディスプレイに表示される。
【００３８】
本実施形態によれば、各通信端末の当選確率を、その属性に応じて異ならせることができるので、各通信端末の当選確率を抽選側の意図で恣意的に制御できるようになる。
【実施例２】
【００３９】
次いで、本発明の第２実施形態について説明する。上記の第１実施形態では、属性条件をユーザ属性や契約属性としたが、本実施形態では、属性条件を通信端末の通信エリアとし、各通信端末MNに対して、その現在位置の通信エリアに基づいて当選比率riが設定されるようにした点に特徴がある。ここでは、図６に一例を示したように、端末数の少ない通信エリアEaに位置する通信端末MNに、端末数の多い通信エリアEbに位置する通信端末MNよりも高い当選比率riを設定することで、各通信エリアの端末数を均等化すること考える。
【００４０】
図７は、本実施形態に係る抽選サーバの構成を示したブロック図であり、前記と同一の符号は同一または同等部分を表している。
【００４１】
データベース１０１には、各通信端末MNの現在位置P0が位置属性として記憶されている。属性情報設定部１０２は、抽選対象をその位置属性で分類して異なる当選比率riを割り当てるための属性条件を設定する。本実施形態では、２つの通信エリアEa，Ebが属性条件として設定される。
【００４２】
属性条件毎ユーザ数推定部１０３は、前記データベース１０１を参照して属性条件ごとに抽選対象のユーザ数Miを推定する。本実施形態では、通信エリアEaのユーザ数Maおよび通信エリアEbのユーザ数Mbが推定される。属性条件毎当選比率設定部１０４は、別途に与えられる当選確率Rgおよび各属性条件Ea，Ebを満足するユーザ数Ma，Mbに基づいて、あるいは当選確率Rgやユーザ数Ma，Mbとは無関係に、属性条件Ea，Ebごとに当選比率ra，rbを設定する。抽選データ生成部１０５は、前記当選確率Rgおよび各通信エリアEa，Ebの当選比率ra，rbが記述された抽選データを生成する。抽選データ転送部１０６は、前記抽選データを放送局１へ転送して放送波による送信を要求する。
【００４３】
図８は、本実施形態における通信端末MNの主要部の構成を示したブロック図である。現在位置測位部２０６は、例えばGPSを用いて現在位置P0を測位する。抽選データ受信部２０１は、放送波を受信して抽選データを抽出する。確率抽出部２０３は、抽選データに記述されている当選確率Rgおよび属性条件Ea，Ebを抽出し、各属性条件Ea，Ebと自身の現在位置P0とを比較する。そして、現在位置P0が通信エリアEaに属していれば当選比率raを抽出し、現在位置P0が通信エリアEbに属していれば当選比率rbを抽出する。ここでは、通信端末MNが通信エリアEaに位置しており、当選比率raが抽出されたものとして説明を続ける。抽選部２０４は、乱数randと各確率の積Rg・raとを比較し、rand≦Rg・raであれば自端末を当選端末とする。
【００４４】
次いで、フローチャートを参照して本実施形態の動作を詳細に説明する。図９は、主に抽選サーバ４の動作を示したフローチャートであり、図１０は、主に通信端末MNの動作を示したフローチャートである。
【００４５】
抽選サーバ４では、図９のステップＳ２１において抽選対象の属性条件が設定される。本実施形態では、抽選対象のユーザを現在位置P0で分類して異なる当選比率riを割り当てるべく、２つの通信エリアEa，Ebが属性条件として設定される。ステップＳ２２では、各通信エリアEa，Ebに属する通信端末MNのユーザ数Ma，Mbが推定される。ここでは、過去の実績データ等に基づいて暫定的な推定が行われる。ステップＳ２３では、各通信エリアEa，Ebの当選比率ra，rbが算出される。本実施形態では、ユーザ数の多い通信エリアの当選比率をユーザ数の少ない通信エリアの当選比率よりも低くして各通信エリアのユーザ数が均一化されるように、各通信エリアEa，Ebの当選比率ra，rbが次式(7)，(8)に基づいて算出される。ステップＳ２４では、当選確率Rgおよび当選比率ra，rbの記述された抽選データが生成されて放送局１へ転送され、放送波に重畳されて放送される。
【００４６】
【数７】
0005472982.tif 000008
【００４７】
【数８】
0005472982.tif 000009
【００４８】
図１０へ進み、通信端末MNは、ステップＳ６１において前記抽選データの多重化された放送波を受信すると、ステップＳ６２では、当該抽選データから抽選の募集要項、当選の申告先アドレス、当選確率Rgおよび属性条件Ea，Ebが抽出される。ステップＳ６２ａでは、前記測位部２０６により現在位置P0が測位される。ステップＳ６３では、自身の位置属性（現在位置P0）を満足する属性条件と対応付けられた当選比率が抽出される。ここでは、通信端末MNの現在位置P0が通信エリアEaに属しているので当選比率raが抽出される。
【００４９】
ステップＳ６４では、前記抽出された募集要項、当選確率Rgおよび属性条件ごとの当選比率riが端末ディスプレイ（図示せず）に一覧表示される。これにより、端末ユーザは当選比率の高い通信エリアを認識できるので、当選確率を高くしたければ当選比率riの高い通信エリアへ移動すれば良いことになる。
【００５０】
ステップＳ６５では、端末ユーザによる抽選応募操作の有無が判定され、応募操作が検知されるとステップＳ６６へ進む。ステップＳ６６では、抽選部２０４の乱数発生部において、０＜rand≦１の乱数randが発生される。ステップＳ６７では、乱数randが当選確率Rgと当選比率raとの積Rg・raと比較され、rand≦Rg・raであれば、自端末が今回の抽選に当選した当選端末と判定されてステップＳ６８へ進み、当選メッセージが端末ディスプレイに表示される。ステップＳ６９では当選申告メッセージが生成され、ステップＳ７０において抽選サーバ４へ送信される。
【００５１】
図９へ戻り、抽選サーバ４では、当選した各通信端末MNから送信された当選申告メッセージがステップＳ２５で受信される。ステップＳ２６では、通信エリアEaの属性条件を満足する当選端末数Ma'が'Ma・ra・Rgであること、および通信エリアEbの属性条件を満足する当選端末数Mb'がMb・rb・Rgであることを根拠に、次式(9)，(10)に基づいて各通信エリアEa，Ebのユーザ数Ma，Mbが推定される。
【００５２】
【数９】
0005472982.tif 000010
【００５３】
【数１０】
0005472982.tif 000011
【００５４】
ステップＳ２７では、各通信エリアEa，Ebのユーザ数Ma，Mbが同程度であるか否かが判定される。同程度でなければステップＳ２３へ戻り、前記ステップＳ２６で推定されたユーザ数Ma，Mbを上式(7)，(8)に適用して当選比率ra，rbを更新し、これらに基づいて上記の各処理が繰り返される。
【実施例３】
【００５５】
次いで、本発明の第３実施形態について説明する。本実施形態では属性条件を各通信端末の接続先の基地局とし、各通信端末MNに対して、その接続先に基づいて当選比率riが設定されるようにした点に特徴がある。ここでは、図１１に一例を示したように、接続数の少ない基地局Qaに収容される通信端末MNに、接続数の多い基地局Qbに収容される通信端末MNよりも高い当選比率riを設定することで、各基地局への接続数を均等化すること考える。
【００５６】
図１２は、本発明の第３実施形態に係る抽選サーバ４の構成を示したブロック図であり、前記と同一の符号は同一または同等部分を表している。
【００５７】
データベース１０１には、各通信端末MNが接続されている無線基地局が接続先属性として記憶されている。属性情報設定部１０２は、抽選対象をその接続先情報で分類して異なる当選比率riを割り当てるための属性条件を設定する。本実施形態では、２つの無線基地局Qa，Qbが属性条件として設定される。属性条件毎ユーザ数推定部１０３は、前記データベース１０１を参照して属性条件ごとに抽選対象のユーザ数Miを推定する。本実施形態では、無線基地局Qaのユーザ数Maおよび無線基地局Qbのユーザ数Mbが推定される。属性条件毎当選比率設定部１０４は、別途に与えられる当選確率Rgおよび各属性条件を満足するユーザ数Ma，Mbに基づいて、あるいは当選確率Rgやユーザ数Ma，Mbとは無関係に、属性条件ごとに当選比率ra，rbを設定する。抽選データ生成部１０５は、前記当選確率Rgおよび各基地局Qa，Qbの当選比率ra，rbが記述された抽選データを生成する。抽選データ転送部１０６は、前記抽選データを放送局１へ転送して放送波による送信を要求する。
【００５８】
図１３は、本実施形態における通信端末MNの主要部の構成を示したブロック図である。接続先識別部２０７は接続先の無線基地局を識別する。抽選データ受信部２０１は、放送波を受信して抽選データを抽出する。確率抽出部２０３は、抽選データに記述されている当選確率Rgおよび属性条件を抽出し、さらに各属性条件と自身の属性とを比較する。そして、自身の接続先が無線基地局Qaであれば当選比率raを抽出し、無線基地局Qbであれば当選比率rbを抽出する。ここでは、自身の接続先が無線基地局Qaであり、当選比率raが抽出されたものとして説明を続ける。抽選部２０４は、乱数randと各確率の積Rg・raとを比較し、rand≦Rg・raであれば自端末を当選端末と判定する。
【００５９】
次いで、フローチャートを参照して本実施形態の動作を詳細に説明する。図１４は、主に抽選サーバ４の動作を示したフローチャートであり、図１５は、主に通信端末MNの動作を示したフローチャートである。
【００６０】
抽選サーバ４では、図１４のステップＳ３１において抽選対象の属性条件が設定される。本実施形態では、抽選対象のユーザを接続先の無線基地局で分類して異なる当選比率riを割り当てるべく、２つの無線基地局Qa，Qbが属性条件として設定される。ステップＳ３２では、各無線基地局Qa，Qbに接続している通信端末MNのユーザ数Ma，Mbが推定される。ここでは、過去の実績データ等に基づいて暫定的な推定が行われる。ステップＳ３３では、各無線基地局Qa，Qbに接続しているユーザの当選比率ra，rbが算出される。本実施形態では、接続数の多い無線基地局の当選比率を接続数の少ない無線基地局の当選比率よりも低くして各無線基地局Qa，Qbへの接続数が均一化されるように、各無線基地局Qa，Qbの当選比率ra，rbが前記と同様に算出される。ステップＳ３４では、当選確率Rgおよび各属性条件の当選比率ra，rbが記述された抽選データが生成されて放送局１へ転送され、放送波に重畳されて放送される。
【００６１】
図１５へ進み、通信端末MNは、ステップＳ６１において前記抽選データの多重化された放送波を受信すると、ステップＳ６２では、当該抽選データから抽選の募集要項、当選の申告先アドレス、当選確率Rgおよび属性条件Qa，Qbが抽出される。ステップＳ６２ｂでは、前記接続先識別部２０７により接続先の無線基地局が識別される。ステップＳ６３では、自身の属性（接続先）が満足する属性条件と対応付けられた当選比率が抽出される。ここでは、通信端末MNの接続先が無線基地局Qaなので当選比率raが抽出される。
【００６２】
ステップＳ６４では、前記抽出された募集要項、当選確率Rgおよび属性条件ごとの当選比率riが端末ディスプレイに一覧表示される。これにより、端末ユーザは当選比率の高い基地局を認識できるので、当選確率を高くしたければ当選比率riの高い基地局のカバレッジ内へ移動すれば良いことになる。
ステップＳ６５では、端末ユーザによる抽選応募操作の有無が判定され、応募操作が検知されるとステップＳ６６へ進む。ステップＳ６６では、抽選部２０４の乱数発生部において、０＜rand≦１の乱数randが発生される。ステップＳ６７では、乱数randが当選確率Rgと当選比率raとの積Rg・raと比較され、rand≦Rg・raであれば、自端末が今回の抽選に当選した当選端末と判定されてステップＳ６８へ進み、当選メッセージが端末ディスプレイに表示される。ステップＳ６９では当選申告メッセージが生成され、ステップＳ７０において抽選サーバ４へ送信される。
【００６３】
図１４へ戻り、抽選サーバ４では、当選した各通信端末MNから送信される当選申告メッセージがステップＳ３５で受信される。ステップＳ３６では、無線基地局Qaが接続先である属性条件を満足する当選端末数Ma'がMa・ra・Rgであること、および無線基地局Qbが接続先である属性条件を満足する当選端末数Mb'がMb・rb・Rgであることを根拠に、各無線基地局Qa，Qbを接続先とするユーザ数Ma，Mbが前記と同様に推定される。
【００６４】
ステップＳ３７では、各無線基地局Qa，Qbを接続先とするユーザ数Ma，Mbが同程度であるか否かが判定される。同程度でなければステップＳ３３へ戻り、前記ステップＳ３６で推定されたユーザ数Ma，Mbを上式(7)，(8)に適用して当選比率ra，rbを更新し、これらに基づいて上記の各処理が繰り返される。
【００６５】
なお、上記の各実施形態では属性毎の当選比率riがユーザ数Miおよび当選確率Rgに基づいて算出されるものとして説明したが、本発明はこれのみに限定されるものではなく、当選比率riをユーザ数Miや当選確率Rgとは無関係に抽選側で恣意的に設定しても良い。このようにすれば、属性毎当選確率Rg・riを抽選側で任意に設定できるようになる。
【００６６】
また、上記の各実施形態では、当選確率Rgと属性毎の当選比率riとが抽選データとして抽選サーバ４から各通信端末MNへ与えられ、各通信端末MNが当選確率Rgおよび当選比率riに基づいて自律的に抽選を行うものとして説明したが、本発明はこれのみに限定されるものではなく、抽選サーバ４が当選確率Rgと属性毎の当選比率riとに基づいて、当選比率riの反映された属性毎当選確率Rg・riを属性ごとに予め算出し、属性毎当選確率Rg・riが各属性条件と対応付けられた抽選データを各通信端末MNへ送信するようにしても良い。
【００６７】
さらに、各抽選端末の属性も上記に限定されるものではなく、例えば、テレビ番組等の視聴において、各ユーザが抽選端末で視聴した番組プログラムやCM等の放送コンテンツの視聴時間あるいは視聴回数といった視聴実績を計数して属性情報（視聴属性）とし、視聴時間や視聴回数が多い抽選端末ほど、その当選比率が高くなるようにすれば、ユーザの自由意志により視聴時間や視聴回数を恣意的に制御できるようになる。
【符号の説明】
【００６８】
１…放送局，２…無線基地局，３…IPネットワーク，４…抽選サーバ，５…放送設備，１０１…属性情報データベース，１０２…属性条件設定部，１０３…属性条件毎ユーザ数推定部，１０４…属性条件毎当選比率設定部，１０５…抽選データ生成部，１０６…抽選データ転送部，２０１…抽選データ受信部，２０２…記憶部，２０３…確率抽出部，２０４…抽選部，２０５…当選申告部
【図１】
0005472982.tif 000012
【図２】
0005472982.tif 000013
【図３】
0005472982.tif 000014
【図４】
0005472982.tif 000015
【図５】
0005472982.tif 000016
【図６】
0005472982.tif 000017
【図７】
0005472982.tif 000018
【図８】
0005472982.tif 000019
【図９】
0005472982.tif 000020
【図１０】
0005472982.tif 000021
【図１１】
0005472982.tif 000022
【図１２】
0005472982.tif 000023
【図１３】
0005472982.tif 000024
【図１４】
0005472982.tif 000025
【図１５】
0005472982.tif 000026